(57)【要約】【課題】通信端末を含む装置の配置構成を単純化して小型化できると共に、取り扱い性や見栄えの向上など図ることができるＡＣアダプタ一体型電灯線カプラを提供することを目的とする。【解決手段】電灯線コンセントに装着して用いられるプラグ部４に接続され通信端末に電力を供給する電灯線電源変換供給部７と、通信端末にプラグ部４を介して信号の入出力を行う電灯線搬送信号結合部８とを備え、電灯線電源変換供給部７及び電灯線搬送信号送受信部８を共に内蔵するケーシング部６を有したＡＣアダプタ一体型電灯線カプラを構成する。【選択図】図３
2008167469.tif 000002
【特許請求の範囲】
【請求項１】
交流電源を電灯線から入力し、接続可能な通信端末へ直流電源を出力する電灯線電源変換供給部と、
前記電灯線に接続され、前記交流電源に重畳している電灯線通信用信号を分離し、分離された電灯線通信用信号を通信信号に復調し、復調した通信信号を出力する搬送信号結合部と、
前記電灯線電源変換供給部から出力された前記直流電源と復調した通信信号とを合成し、前記直流電源と復調された通信信号とを通信端末へ出力する信号合成分離部と、を備えたことを特徴とする電灯線通信装置。
【請求項２】
前記電灯線電源変換供給部と前記交流電源との間にフィルタ部を備えたことを特徴とする請求項１に記載の電灯線通信装置。
【発明の詳細な説明】
【技術分野】
【０００１】
近年、小規模オフィスや家庭においてローカルエリアネットワークを簡単・安価に構築する要望が高まっている。本発明は、ローカルエリアネットワークを簡単・安価に構築することのできる電灯線通信装置に適用される電灯線通信装置に関するものである。
【背景技術】
【０００２】
従来、ローカルエリアネットワークを構築するには、通信用の専用線を配線する方法がとられてきた。また、通信用の専用線を用いず、無線や電灯線を用いてローカルエリアネットワークを構築する例も近年増加してきている。電灯線通信では、通信を行う通信機器への電源の供給を行うための電灯線電源変換供給部（ＡＣアダプタなど）や、通信信号を電灯線に送受信するための電灯線搬送信号結合部（電灯線カプラ）をそれぞれ用意する必要があった。
【０００３】
以下に従来の電灯線通信機器について説明する。図１は従来の電灯線通信機器の構成図である。通信端末１は通信端末１に電源を供給するＡＣアダプタ２と、通信信号を変復調する電灯線モデム５および電灯線に送受信する電灯線カプラ３とに接続される。電灯線通信を行う場合には、ＡＣアダプタ２と電灯線モデム５、電灯線カプラ３を接続して使用される。
【発明の開示】
【発明が解決しようとする課題】
【０００４】
しかしながら、上記従来の方法および構成法では、以下の問題を有していた。
【０００５】
（１）通信端末１で電灯線通信を行うためには、ＡＣアダプタ２と電灯線モデム５、電灯線カプラ３をそれぞれ通信端末１に個別に接続する必要があり、接続操作が繁雑になって、通信端末１を移動させる場合等のハンドリング性や操作性に欠けるという課題があった。
【０００６】
（２）接続して使用（占有）する電灯線コンセントを少なくとも２個必要とし、配線が入り組んで見栄えが悪く、デザイン性に欠けるなどの問題を有していた。
【０００７】
本発明は上記課題を解決するためになされたもので、通信端末を含む装置の配置構成を単純化して小型化できると共に、取り扱い性や見栄えの向上など図ることができる電灯線通信装置を提供することを目的とする。
【課題を解決するための手段】
【０００８】
上記課題を解決するために本発明の電灯線通信装置は、交流電源を電灯線から入力し、接続可能な通信端末へ直流電源を出力する電灯線電源変換供給部と、前記電灯線に接続され、前記交流電源に重畳している電灯線通信用信号を分離し、分離された電灯線通信用信号を通信信号に復調し、復調した通信信号を出力する搬送信号結合部と、前記電灯線電源変換供給部から出力された前記直流電源と復調した通信信号とを合成し、前記直流電源と復調された通信信号とを通信端末へ出力する信号合成分離部とにより構成され、これによって通信端末を含む装置の配置構成を単純化して小型化できると共に、取り扱い性や見栄えの向上を図ることができる。
【発明の効果】
【０００９】
以上のように本発明によれば、前記電灯線電源変換供給部から出力された前記直流電源と復調された通信信号とを合成し、前記通信端末へ合成した前記直流電源と復調された通信信号とを出力する信号合成分離部と、を備えたことにより、取り扱い性の向上、機器の小型化、見栄えの向上などを行うことができる。また、一体化時にフィルタ部を挿入することにより、電灯線電源変換供給部が電灯線通信信号に与える影響を低減することができる。
【００１０】
請求項１に記載の電灯線通信装置によれば、以下の効果を有する。
【００１１】
（ａ）ケーシング部に電灯線電源変換供給部と電灯線搬送信号結合部が共に内蔵されているので、両者を一括してハンドリングでき取り扱い性に優れる。
【００１２】
（ｂ）通信端末周りの周辺機器の配置構成を単純化でき、見栄えやデザイン性などを向上させることができる。
【００１３】
（ｃ）接続される電灯線コンセントが１つでよいので、通信装置の設定が極めて容易にでき、コンセント周りの点検や掃除等のメンテナンス性に優れている。
【００１４】
さらに、以下の効果を有する。
【００１５】
電灯線電源変換供給部と電灯線搬送信号結合部に加えて、電灯線搬送信号結合部からの高周波信号を重畳分離させる信号合成分離部が同一ケーシング内に一体に保持されるので、電灯線カプラと通信端末を接続するケーブルの本数を削減できる。
【００１６】
さらに、以下の効果を有する。
【００１７】
（ａ）電灯線モデムがケーシング部内に取り込まれているので、電灯線通信を行う場合に必要となる機器数を削減できるという作用を有する。
【００１８】
（ｂ）ケーシング部内の電灯線電源変換供給部から供給される電力によって、電灯線モデムが駆動されるので、回路構成が単純化されると共にＡＣアダプタ一体型電灯線カプラを効率的に動作させることができる。
【００１９】
（ｃ）通信端末に組み込む回路を簡略にすることができる。
【００２０】
請求項２に記載の電灯線通信装置によれば、請求項１の効果に加えて以下の効果を有する。
【００２１】
（ａ）フィルタ部を加えることにより、電灯線電源変換供給部で発生した雑音が電灯線通信用信号に影響を与えるのを防止して高速通信を行うことができる。
【００２２】
（ｂ）電灯線通信に用いる高周波信号が電灯線電源変換供給部に流れ込むのを防止できるので、信号対雑音電力比を高く保つことができ、高速通信を行うことができる。
【発明を実施するための最良の形態】
【００２３】
請求項１に記載の電灯線通信装置は、交流電源を電灯線から入力し、接続可能な通信端末へ直流電源を出力する電灯線電源変換供給部と、前記電灯線に接続され、前記交流電源に重畳している電灯線通信用信号を分離し、分離された電灯線通信用信号を通信信号に復調し、復調した通信信号を出力する搬送信号結合部と、前記電灯線電源変換供給部から出力された前記直流電源と復調した通信信号とを合成し、前記直流電源と復調された通信信号とを通信端末へ出力する信号合成分離部とにより構成されている。
【００２４】
この構成によって、以下の作用を有する。
【００２５】
（ａ）ケーシング部に電灯線電源変換供給部と電灯線搬送信号結合部が共に内蔵されているので、両者を一括してハンドリングでき取り扱い性に優れる。
【００２６】
（ｂ）通信端末周りの周辺機器の配置構成を単純化でき、見栄えやデザイン性などを向上させることができる。
【００２７】
（ｃ）接続される電灯線コンセントが１つでよいので、通信装置の設定が極めて容易にでき、コンセント周りの点検や掃除等のメンテナンス性に優れている。
【００２８】
ここで、電灯線電源変換供給部は、電灯線コンセントからプラグ部を介して供給される交流電力を直接所定電圧の直流に変換したり、充電器に充電したりするための変換器や充電器を備えた電源部であり、これを電源として通信端末が駆動される。
【００２９】
電灯線搬送信号結合部は電灯線を介して搬送される信号を電灯線に送受信する機能を有する。電灯線搬送信号結合部には必要に応じて通信信号を変復調する電灯線モデムなどが含まれ、電灯線モデムはアナログ信号をデジタル信号に変換する機能を有した変復調装置である。
【００３０】
ケーシング部はアルミやスチールなどの金属類やポリエチレン、ポリカーボネイトなどのプラスチック類などからなる容器体であって、電灯線電源変換供給部および電灯線搬送信号結合部が一体に内蔵され、外部の通信端末に接続されるそれぞれの端子部やケーブル部を備えている。
【００３１】
さらに、以下の作用を有する。
【００３２】
電灯線電源変換供給部と電灯線搬送信号結合部に加えて、電灯線搬送信号結合部からの高周波信号を重畳分離させる信号合成分離部が同一ケーシング内に一体に保持されるので、電灯線カプラと通信端末を接続するケーブルの本数を削減できるという作用を有する。
【００３３】
ここで、信号合成分離部は、例えばチョークコイルなどを備えた回路部やインダクタンスで構成され、電灯線電源などの低周波信号は通過し、電灯線通信用信号などの高周波信号は通過しない濾波特性を有したものが用いられる。
【００３４】
さらに、以下の作用を有する。
【００３５】
（ａ）電灯線モデムがケーシング部内に取り込まれているので、電灯線通信を行う場合に必要となる機器数を削減できるという作用を有する。
【００３６】
（ｂ）ケーシング部内の電灯線電源変換供給部から供給される電力によって、電灯線モデムが駆動されるので、回路構成が単純化されると共にＡＣアダプタ一体型電灯線カプラを効率的に動作させることができる。
【００３７】
（ｃ）通信端末に組み込む回路を簡略にすることができる。
【００３８】
請求項２に記載の電灯線通信装置は、前記電灯線電源変換供給部と前記交流電源との間にフィルタ部を備えたことを特徴とする請求項１に記載の電灯線通信装置。
【００３９】
この構成によって、請求項１の作用に加えて以下の作用を有する。
【００４０】
（ａ）フィルタ部を加えることにより、電灯線電源変換供給部で発生した雑音が電灯線通信用信号に影響を与えるのを防止して高速通信を行うことができる。
【００４１】
（ｂ）電灯線通信に用いる高周波信号が電灯線電源変換供給部に流れ込むのを防止できるので、信号対雑音電力比を高く保つことができ、高速通信を行うことができる。
【００４２】
ここでフィルタ部は、例えばチョークコイルなどで構成された回路部であり、低周波数の交流は通過させるが電灯線通信用信号などの高周波の信号は高インピーダンスとなって通過させないような濾波特性を有する。また、この濾波特性によって電灯線電源変換供給部で発生した高周波雑音を外部に漏らさないようにしている。
【００４３】
続いて本発明の実施の形態について、図面を参照しながら説明する。
【００４４】
（実施の形態１）
図２は、本発明の実施の形態１のＡＣアダプタ一体型電灯線カプラが適用される電灯線通信機器の構成図である。
【００４５】
図２において、１は電灯線を介して搬送される信号の処理を行う通信端末、５は電灯線モデム、６は電灯線通信信号を電灯線に送受信する電灯線搬送信号結合部である電灯線カプラおよび通信端末１にその駆動用電力を供給するための電灯線電源変換供給部が内蔵されたＡＣアダプタ一体型電灯線カプラのケーシング部、４は電灯線コンセントに接続されて用いられるＡＣアダプタ一体型電灯線カプラのプラグ部である。
【００４６】
図３は本発明の実施の形態１のＡＣアダプタ一体型電灯線カプラのブロック図である。図３において、７はプラグ部４に接続された電灯線電源変換供給部（電源作成部）、８は電源作成部７と並列にプラグ部４に接続された電灯線カプラである。
【００４７】
以上のように構成された実施の形態１のＡＣアダプタ一体型電灯線カプラについて、以下その動作を説明する。プラグ部４は図示しない電灯線コンセントに接続されて、電源作成部７により通信端末１を駆動させる商用交流電源を得ると同時に電灯線カプラ８によって電灯線通信用の信号を送受信するように構成されている。
【００４８】
すなわち、プラグ部４に接続された電源作成部７は、商用交流電源から通信端末１で必要な電源を作成し、通信端末１に供給する。また、プラグ部４に同様に接続された電灯線カプラ８は、電灯線通信用の電灯線モデム５に接続される。
【００４９】
これによって、電灯線カプラ８は、受信中には電灯線通信用の信号をプラグ部４から抽出し、電灯線モデム５に信号を供給する。送信中には電灯線モデム５から受けた信号を電灯線に重畳させる。
【００５０】
実施の形態１のＡＣアダプタ一体型電灯線カプラは以上のように構成されているので、以下の作用を有する。
【００５１】
（ａ）電源作成部７および電灯線カプラ８がケーシング部６内に内蔵させているので、通信端末１周辺の配線を単純化でき、取り扱い性や見栄えの向上を行うことができる。
【００５２】
（ｂ）電灯線カプラ８がケーシング部６内に取り込まれているので、電灯線通信を行う場合に必要となる機器数を削減できるという作用を有する。
【００５３】
（ｃ）接続される電灯線コンセントが１つでよいので、通信装置の設定が極めて容易にでき、コンセント周りの点検や掃除等のメンテナンス性に優れている。
【００５４】
（ｄ）ケーシング部６内の電源作成部７から供給される電力によって、電灯線カプラ８を作動させることもできるので、ＡＣアダプタ一体型電灯線カプラを効率的に動作させることができる。
【００５５】
（実施の形態２）
図４は本発明の実施の形態２のＡＣアダプタ一体型電灯線カプラのブロック図である。図４において、９は通信端末１に電源を供給する電源作成部７と電灯線コンセントに接続されるプラグ部４との間に接続配置されたフィルタ部である。
【００５６】
なお、実施の形態２のＡＣアダプタ一体型電灯線カプラは実施の形態１のＡＣアダプタ一体型電灯線カプラにフィルタ部９を付加した点で相違している。その他の構成は実施の形態１と同様であるので、実施の形態１と同様の機能を有するものについては同一の符号を付して説明を省略する。
【００５７】
以上のように構成された実施の形態２のＡＣアダプタ一体型電灯線カプラについて、以下その動作を説明する。
【００５８】
プラグ部４は、電灯線コンセントに接続され、商用交流電源商用交流電源を得ると同時に電灯線通信用の信号を送受信する。プラグ部４に接続されたフィルタ部９は、商用交流などの低周波数は通過するが、電灯線通信用信号などの高周波帯では、高インピーダンスとなり信号を通過させない特性を有する。また、電源作成部７で発生した高周波雑音を外部に漏らさない特性をもつ。このように、フィルタ部９を挿入することにより、電源作成部７が、電灯線通信用の信号に影響を与えにくくすることができる。フィルタ部９はチョークコイルなどで構成される。電源作成部７は、フィルタ部９を通過した商用交流電源から通信端末で必要な電源を作成する。
【００５９】
実施の形態２のＡＣアダプタ一体型電灯線カプラは以上のように構成されているので、実施の形態１の作用に加えて以下の作用を有する。
【００６０】
（ａ）フィルタ部９を備えているので、電灯線カプラ８と並列接続された電源作成部７で発生した雑音がフィルタ部９で除去され、通信端末１との間で高速通信を行うことができる。
【００６１】
（ｂ）電灯線通信に用いる高周波信号が電灯線電源変換供給部７に流れ込むのを防止できるので、信号対雑音電力比を高く保つことができ、高速通信を行うことができる。
【００６２】
（実施の形態３）
図５は本発明の実施の形態３のＡＣアダプタ一体型電灯線カプラのブロック図である。図５において、１０は電源作成部７と電灯線カプラ８に接続された信号合成分離部である。
【００６３】
なお、実施の形態３のＡＣアダプタ一体型電灯線カプラは実施の形態２のＡＣアダプタ一体型電灯線カプラに信号合成分離部１０が付加されている点で相違している。その他の構成は実施の形態２のものと同様であるので、実施の形態２と同様の機能を有するものについては同一の符号を付して説明を省略する。
【００６４】
以上のように構成されたＡＣアダプタ一体型電灯線カプラについて、以下その動作を説明する。プラグ部４は、電灯線コンセントに接続され、商用交流電源を得ると同時に電灯線通信用の信号を送受信する。プラグ部４に接続されたフィルタ部９は、商用交流などの低周波数は通過するが、電灯線通信用信号などの高周波帯では、高インピーダンスとなり信号を通過させない特性を有する。また、電源作成部７で発生した高周波雑音を外部に漏らさない特性をもつ。このように、フィルタ部９を挿入することにより、電源作成部７が、電灯線通信用の信号に影響を与えにくくなる。ここでフィルタ部９はチョークコイルなどで構成され、電源作成部７は、フィルタ部９を通過した商用交流電源から通信端末１で必要な電源を作成するようになっている。
【００６５】
また、プラグ部４に同様に接続された電灯線カプラ８は、受信中には、電灯線通信用の信号を電灯線から抽出し、送信中には信号を電灯線に重畳する。
【００６６】
信号合成分離部１０は、電灯線から受信中には電源作成部７からの直流電圧と電灯線カプラからの高周波信号を合成し、通信端末１側の信号合成分離部１０と接続されたケーブルに出力する。通信端末１側では、直流電圧と電灯線通信用の信号の周波数が異なるため分離することができる。
【００６７】
送信中には通信端末１側に備えた信号合成分離部１０からの信号から電灯線通信用の高周波信号を抽出し、電灯線カプラ８に供給する。例えば、信号合成分離部１０は、電灯線からの低周波信号は通過し、電灯線通信用信号などの高周波信号は通過しないチョークコイルなどが用いられる。
【００６８】
実施の形態３のＡＣアダプタ一体型電灯線カプラは以上のように構成されているので、実施の形態１および２の作用に加えて以下の作用を有する。
【００６９】
電源作成部７と電灯線カプラ８に加えて、電灯線カプラ８からの高周波信号を同一ケーブル上で重畳分離させる信号合成分離部１０がケーシング部６内に一体に保持されるので、ＡＣアダプタ一体型電灯線カプラと通信端末１を接続するケーブル数を削減することができ、ハンドリング性などに優れている。
【００７０】
（実施の形態４）
図６は、本発明の実施の形態４のＡＣアダプタ一体型電灯線カプラのブロック図である。図６において、１１は電灯線カプラ８に接続されケーシング部６に内蔵された電灯線モデムである。
【００７１】
なお、実施の形態４のＡＣアダプタ一体型電灯線カプラは実施の形態２のＡＣアダプタ一体型電灯線カプラに電灯線モデム１１が付加されている点で相違している。その他の構成は実施の形態２のものと同様であるので、実施の形態２と同様の機能を有するものについては同一の符号を付して説明を省略する。
【００７２】
以上のように構成されたＡＣアダプタ一体型電灯線カプラについて、以下その動作を説明する。プラグ部４は電灯線コンセントに接続され、商用交流電源を得ると同時に電灯線通信用の信号を送受信する。プラグ部４に電源作成部７およびフィルタ部９と並列に接続された電灯線カプラ８は、受信中には、電灯線通信用の信号を電灯線から抽出し、送信中には信号を電灯線に重畳させるようになっている。電灯線モデム１１は電灯線カプラ８に接続され、電灯線通信信号の変復調を行う。電灯線モデム１１はＵＳＢやイーサネット（登録商標）などで通信端末と接続される。以上のように構成することで、電灯線通信を行う場合に必要となる機器を１つにすることができる。
【００７３】
実施の形態４のＡＣアダプタ一体型電灯線カプラは以上のように構成されているので、実施の形態１および２の作用に加えて以下の作用を有する。
【００７４】
（ａ）電灯線モデム１１がケーシング部６内に取り込まれているので、電灯線通信を行う場合に必要となる機器数をさらに削減できるという作用を有する。
【００７５】
（ｂ）ケーシング部６内の電源作成部７から供給される電力によって、電灯線カプラ８などが駆動されるので、回路構成が単純化されると共にＡＣアダプタ一体型電灯線カプラを効率的に動作させることができる。
【産業上の利用可能性】
【００７６】
本発明の電灯線通信装置は、小規模オフィスや家庭においてローカルエリアネットワークを簡単・安価に構築できる電灯線通信装置として有用である。
【図面の簡単な説明】
【００７７】
【図１】従来の電灯線通信機器の構成図
【図２】本発明の実施の形態１のＡＣアダプタ一体型電灯線カプラが適用される電灯線通信機器の構成図
【図３】本発明の実施の形態１のＡＣアダプタ一体型電灯線カプラのブロック図
【図４】本発明の実施の形態２のＡＣアダプタ一体型電灯線カプラのブロック図
【図５】本発明の実施の形態３のＡＣアダプタ一体型電灯線カプラのブロック図
【図６】本発明の実施の形態４のＡＣアダプタ一体型電灯線カプラのブロック図
【符号の説明】
【００７８】
１    通信端末
２    ＡＣアダプタ
３    電灯線カプラ
４    プラグ部
５    電灯線モデム
６    ケーシング部
７    電源作成部（電灯線電源変換供給部）
８    電灯線カプラ（電灯線搬送信号結合部）
９    フィルタ部
１０    信号合成分離部
１１    電灯線モデム
【図１】
2008167469.tif 000003
【図２】
2008167469.tif 000004
【図３】
2008167469.tif 000005
【図４】
2008167469.tif 000006
【図５】
2008167469.tif 000007
【図６】
2008167469.tif 000008